(57)【要約】【課題】  清掃具において、ゴミの捕集性を向上すること。【解決手段】  押さえロール３０をゴミ導入側に配置し、掻き上げロール４０を押さえロール３０に対するゴミ導入側と反対側に配置してなる清掃具１０であって、押さえロール３０としてクッションロールを用い、清掃時に押さえロール３０と掻き上げロール４０を互いに反対回転させ、押さえロール３０を変形させて後方に導かれた床面１上のゴミを、押さえロール３０と掻き上げロール４０の間に挟みとり、両ロール３０、４０の回転によって床面１より上方に導いて、挟み力が解除されるとともに掻き上げロール４０が弾き飛ばして捕集するもの。【選択図】  図１
2006346293.tif 000002
【特許請求の範囲】
【請求項１】
押さえロールをゴミ導入側に配置し、掻き上げロールを押さえロールに対するゴミ導入側と反対側に配置してなる清掃具であって、
押さえロールとしてクッションロールを用い、
清掃時に押さえロールと掻き上げロールを互いに反対回転させ、
押さえロールを変形させて後方に導かれた床面上のゴミを、押さえロールと掻き上げロールの間に挟みとり、両ロールの回転によって床面より上方に導いて捕集可能にし、
クッションロールが捕集対象ゴミの形に倣う表面の弾性変形によってゴミを食い込ませ、表面の弾性的復元によってゴミを排出可能にする清掃具。
【請求項２】
押さえロールをゴミ導入側に配置し、掻き上げロールを押さえロールに対するゴミ導入側と反対側に配置してなる清掃具であって、
清掃時に押さえロールと掻き上げロールを互いに反対回転させ、かつ、両ロールを互いに食い込ませて接触させる接触部を形成し、該接触部の下端から床までの高さが押さえロールが取り込もうとするゴミの大きさより小さい清掃具。
【請求項３】
前記押さえロールに対して掻き上げロールの径を小さくする請求項１又は２に記載の清掃具。
【請求項４】
前記掻き上げロール及び／又はクッションロールは弾性たわみ変形によって床面に食い込む請求項１又は３に記載の清掃具。
【請求項５】
前記押さえロールの上方に粘着ロールを配置し、清掃時に両ロールが接触して一緒に回転する請求項１〜４のいずれかに記載の清掃具。
【請求項６】
前記掻き上げロールが掻き上げたゴミ等を捕集するゴミ捕集部を備える請求項１〜５のいずれかに記載の清掃具。
【発明の詳細な説明】
【技術分野】
【０００１】
本発明は清掃具に関する。
【背景技術】
【０００２】
清掃具として、特許文献１に記載の如く、フレームの清掃方向の前後に前ブラシと後ブラシを配置し、フレームの最後尾側に車輪を配置し、床面上のゴミを前ブラシと後ブラシの接触部分から掻き上げるものがある。
【特許文献１】特開2002-165731
【発明の開示】
【発明が解決しようとする課題】
【０００３】
特許文献１の清掃具は、前ブラシの表面が例えば1mmから5mm程度の長さの起毛等の柔らかい刷子で覆われるとともに、前ブラシの軸を移動可能にしている。
【０００４】
従って、特許文献１の清掃具では、大きなゴミに当たると、前ブラシが上方に移動し、その結果、前ブラシに届かない大きなゴミをとることができない。
【０００５】
本発明の課題は、清掃具において、ゴミの捕集性を向上することにある。
【課題を解決するための手段】
【０００６】
請求項１の発明は、押さえロールをゴミ導入側に配置し、掻き上げロールを押さえロールに対するゴミ導入側と反対側に配置してなる清掃具であって、押さえロールとしてクッションロールを用い、清掃時に押さえロールと掻き上げロールを互いに反対回転させ、押さえロールを変形させて後方に導かれた床面上のゴミを、押さえロールと掻き上げロールの間に挟みとり、両ロールの回転によって床面より上方に導いて捕集可能にし、クッションロールが捕集対象ゴミの形に倣う表面の弾性変形によってゴミを食い込ませ、表面の弾性的復元によってゴミを排出可能にするようにしたものである。
【０００７】
請求項２の発明は、押さえロールをゴミ導入側に配置し、掻き上げロールを押さえロールに対するゴミ導入側と反対側に配置してなる清掃具であって、清掃時に押さえロールと掻き上げロールを互いに反対回転させ、かつ、両ロールを互いに食い込ませて接触させる接触部を形成し、該接触部の下端から床までの高さが押さえロールが取り込もうとするゴミの大きさより小さいようにしたものである。
【０００８】
請求項３の発明は、請求項１又は２の発明において更に、前記押さえロールに対して掻き上げロールの径を小さくするようにしたものである。
【０００９】
請求項４の発明は、請求項１又は３の発明において更に、前記掻き上げロール及び／又はクッションロールは弾性たわみ変形によって床面に食い込むようにしたものである。
【００１０】
請求項５の発明は、請求項１〜４のいずれかの発明において更に、前記押さえロールの上方に粘着ロールを配置し、清掃時に両ロールが接触して一緒に回転するようにしたものである。
【００１１】
請求項６の発明は、請求項１〜５のいずれかの発明において更に、前記掻き上げロールが掻き上げたゴミ等を捕集するゴミ捕集部を備えるようにしたものである。
【発明の効果】
【００１２】
（請求項１）
(a)押さえロールとしてクッションロールを用いており、押さえロールのクッション部の厚みを最大径とする大きなゴミも小さなゴミもクッション部の変形によって包み込み、掻き上げロールの側に導き、押さえロールと掻き上げロールによって挟み込むから、清掃面にある大小様々のゴミをもらさず捕集することができる。
【００１３】
クッションロールは、ロール表面が周方向の全周に渡って面状につながっているものをいい、スポンジロール、可撓プラスチックロール、ゴムロール、ロール表面が繊維の交絡層で覆われた不織布や網目体からなるロール等を採用できる。
【００１４】
クッションロールのロール表面を弾性変形させてその表面に食い込んだゴミは、表面の弾性的復元力によって表面から弾き飛ばされて捕集されたり、弾性的に復元した表面からスクレーパにより掻き落とされて捕集される。
【００１５】
（請求項２）
(b)押さえロールと掻き上げロールが互いに食い込んで接触する接触部を形成し、接触部の下端から床までの高さが取り込もうとするゴミの大きさより小さい。従って、取り込もうとするゴミが、押さえロールと掻き上げロールの接触部に挟み込まれ、床面上の一定以上の大きさのゴミを捕集することができる。
【００１６】
（請求項３）
(c)押さえロールに対して掻き上げロールの径を小さくすることにより、掻き上げロールと押さえロールと床面の間の隙間を小さくし、床面上のゴミを押さえロールと掻き上げロールによって挟み込み易くする。
【００１７】
（請求項４）
(d)掻き上げロール及び／又はクッションロールが弾性たわみ変形によって床面に食い込むようにしたから、床面上のゴミを押さえロールと掻き上げロールによって挟み込み易くする。
【００１８】
（請求項５）
(e)押さえロールの上方に粘着ロールを配置し、清掃時に両ロールが接触して反対方向に一緒に回転するようにしたから、押さえロールの回転に粘着ロールを連れ回り回転させて駆動できる。粘着ロールの駆動ロールを格別に必要としない。塵取部等のゴミ回収スペースを大きくとることができる。
【００１９】
（請求項６）
(f)押さえロールと掻き上げロールによって挟み込まれて弾き飛ばされるゴミを、掻き上げロールの後部の塵取部に回収できる。
【発明を実施するための最良の形態】
【００２０】
清掃具１０は、床面１等の清掃面上のゴミ、例えば大粒、小粒の粒ゴミ、又はカーペット等の繊維に絡み付いた髪の毛等のゴミを捕集するものであり、図１〜図６に示す如く、柄１１の先端部に左右揺動軸１２を介して支持アーム１３を清掃方向に交差する左右方向に揺動自在に結合し、支持アーム１３の両側アーム部１３Ａに前後揺動軸１４を介してフレーム１５を清掃方向に沿う前後方向に揺動自在に支持している。
【００２１】
清掃具１０は、床面１と接触して転動する硬質の左右前輪２１と左右後輪２２（接地部）をフレーム１５の前後の両側部に回転自在に設ける。尚、前輪２１の回転軸２１Ａは、図３に示す如く、フレーム１５の清掃方向の前後に沿って設けた長孔１５Ａに支持され、前輪２１は前進時には長孔１５Ａの後方側に、後進時には長孔１５Ａの前方側に位置付けられる。清掃具１０は、床面１に摺接する硬質シューを接地部として設けるものでも良い。
【００２２】
清掃具１０は、フレーム１５の清掃方向に沿う前後に弾性押さえロール３０（清掃ロール）と弾性掻き上げロール４０を平行に並べて配置し、それら両ロール３０、４０を前輪２１と後輪２２の接地線（前輪２１の接地点と後輪２２の接地点を結ぶ直線）よりも外方（床面１に入る側）へ張り出る大径にする。
【００２３】
押さえロール３０は、フレーム１５のゴミ導入側に配置され、清掃方向に直交する横方向において、左右の前輪２１、後輪２２に挟まれる概ね全域に渡って床面１に接する範囲で、フレーム１５に支持される前輪２１の回転軸２１Ａに支持され、床面１に接触して転動する。押さえロール３０は、前輪２１の回転力により同軸駆動されるものであり、前輪２１の回転軸２１Ａに固定的に結合されても良いが、床面１と掻き上げロール４０に対して大きくこすれ回転することのないように、回転軸２１Ａに摩擦接触して駆動される。押さえロール３０は、床面１に接する少なくとも表面を弾性たわみできる材質（弾性可撓材料）にて構成する。押さえロール３０としては、筒状のスポンジロール、可撓プラスチックロール、ゴムロール等を採用できるが、スポンジロール等のクッションロールが好適である。
【００２４】
掻き上げロール４０は、フレーム１５の押さえロール３０に対するゴミ導入側と反対側に配置され、清掃方向に直交する横方向において、押さえロール３０に相並ぶ範囲で、フレーム１５の両側部に支持される左右伝動輪４１の回転軸４１Ａに支持され、床面１に接触して転動する。左右の各伝動輪４１は、左右の各前輪２１の後方に回転自在に支持され、前進時の前輪２１に接して該前輪２１に連れ回り駆動される（図２）。前輪２１に同軸駆動される押さえロール３０と、前輪２１に伝動輪４１を介して駆動される掻き上げロール４０とは、互いに反対回転するものになる。尚、後退時の前輪２１は、前述した如く、フレーム１５に設けた長孔１５Ａの前方側に移動し、伝動輪４１から離れるため、伝動輪４１を連れ回り駆動させることがない（図３）。掻き上げロール４０は、床面１に接する少なくとも表面を弾性たわみできる材質（弾性可撓材料）にて構成する。掻き上げロール４０としては、筒状のスポンジロール、エアクッションロール（ゴム風船状のロール）、可撓プラスチックロール、ゴムロール、ブラシロール等を採用できるが、押さえロール３０を構成するスポンジロールとの組合せにおいて、ブラシロールが好適である。
【００２５】
清掃具１０は、押さえロール３０の半径と掻き上げロール４０の半径の和を、フレーム１５に支持されたそれら両ロール３０、４０の軸間距離より大きくし、結果としてそれら両ロール３０、４０をそれらの接触部の弾性たわみ変形によって互いに食い込ませ接触させる接触部を形成し、該接触部の下端から床までの高さを押さえロール３０が取り込もうとするゴミの大きさより小さくする（図１）。
【００２６】
清掃具１０は、床面１に前輪２１と後輪２２を接触させて転動させる清掃時に、図１に示す如く、床面１に接する押さえロール３０と掻き上げロール４０を床面１との接触部で前輪２１と後輪２２の接地線よりも張り出た大外径部分を大きく弾性たわみ変形させるとともに、それら両ロール３０、４０を互いに概ね同一周速で反対回転させる。両ロール３０、４０は互いに食い込み、かつ床面１に対して大きく弾性たわみ変形して食い込み、また押さえロール３０に対して掻き上げロール４０の径を小さくし、両ロール３０、４０の会合点Ａと床面１との間に側面視三角形状のデッドスペース（隙間）を概ねなくし、両ロール３０、４０は床面１上で概ね隙間なく会合する。
【００２７】
従って、清掃具１０による清掃時に、押さえロール３０は床面１に対して大きくこすれずに回転しつつ床面１上のゴミを逃げないように押さえ込む。押さえロール３０を変形させて後方に導かれた床面1上のゴミを、押さえロール３０と掻き上げロール４０の間に挟みとり、両ロール３０、４０の回転によって床面1より上方に導いて、挟み力が解除されるとともに掻き上げロール４０がはじき飛ばして捕集する。即ち、押さえロール３０が押さえた床面1上のゴミは該押さえロール３０と掻き上げロール４０の会合点Ａでそれら両ロール３０、４０の間に挟み取られて床面１からつまみ上げられ、それら両ロール３０、４０の離隔点Ｂで押さえロール３０の弾性復元力により押し出されるとともに、掻き上げロール４０の弾性復元力により弾き飛ばされる。このゴミは、後述する塵取部５０に捕集される。
【００２８】
清掃具１０は、具体例として示せば、図２に示す如く、押さえロール３０の直径を40mm（前輪２１の直径を34mm）、掻き上げロール４０の直径を25mm、押さえロール３０と掻き上げロール４０の軸間距離Ｌを25mm、伝動輪４１の直径を16mm、両ロール３０、４０を床面１に食い込ませたときの両ロール３０、４０の中心軸と床面１との距離Ｈを8〜10mmとする。
【００２９】
清掃具１０は、押さえロール３０としてクッションロールを用いるとき、押さえロール３０の表面のクッション部の厚みを好適には5mm以上にし、押さえロール３０の軸芯を除く全体をクッション部とするものでも良い。
【００３０】
清掃具１０は、図１に示す如く、フレーム１５における掻き上げロール４０に対する清掃方向の後部に塵取部５０（ゴミ捕集部）を配置する。塵取部５０は、フレーム１５と一体の箱状のゴミ受け部５１を有し、ゴミ受け部５１の前方下部から下ゴミ止め部５２を立ち上げ、前方上部に上ゴミ止め部５３を設ける。下ゴミ止め部５２は掻き上げロール４０の外周に沿う円弧状をなし、上ゴミ止め部５３は後述する粘着ロールホルダ６０の回転カバー６２の回転進入時の外周に沿う円弧状をなし、上ゴミ止め部５３の下縁は押さえロール３０の外周に近接する。下ゴミ止め部５２の上縁と上ゴミ止め部５３の下縁の間をゴミ送り間隔（ゴミ送り込み口）５４とする。押さえロール３０と掻き上げロール４０が弾き飛ばすゴミがゴミ送り込み口５４経由でゴミ受け部５１に捕集される。
【００３１】
塵取部５０は、ゴミ受け部５１の後部開口５１Ａに後蓋５５を開閉自在に備える。後蓋５５は、ゴミ受け部５１の後方下部に設けた支軸５５Ａに下端部を揺動自在に支持し、上端部に係止レバー５６を備える。係止レバー５６は、不図示のばね力によりゴミ受け部５１の後方上部に設けた係止爪５７に係止し（図１、図６）、手動操作によって回動されて係止爪５７との係止を解除する（図８）。塵取部５０へのゴミ捕集時には、後蓋５５によりゴミ受け部５１の後部開口５１Ａを閉じ、ゴミ払い出し時には、係止レバー５６により開き操作される後蓋５５によりゴミ受け部５１の後部開口５１Ａを開き（図７、図９）、後部開口５１Ａからゴミ除去する。塵取部５０のゴミ受け部５１、後蓋５５等は、ゴミの捕集状態を視認できるような透明材料にて構成されるのが良い。
【００３２】
清掃具１０は、フレーム１５における押さえロール３０の上部に粘着ロールホルダ６０を設け、押さえロール３０の上に粘着ロール７０を載置する。粘着ロール７０は、粘着ロールホルダ６０の後述する両ロール支軸６３、６４に径方向遊びをもってセットされながら、押さえロール３０の上に載置され、清掃時に押さえロール３０の外周に接しながら押さえロール３０の回転に連れ回る。粘着ロール７０は、粘着シート７１の巻取りロールの構成、又は表面が粘着性のエラストマーからなり、その表面を洗浄して再使用可能にする構成を含む。本実施例の粘着ロール７０は、粘着シート７１をコア７２に例えば１回使用分ずつ巻き回し、粘着シート７１の粘着面を外側に向けて巻出し可能にかつ切断可能にした巻取りロールにて構成される。粘着ロール７０は押さえロール３０の回転に連れ回りつつ、押さえロール３０の表面に巻きついた髪の毛等のゴミを粘着捕捉する。
【００３３】
粘着ロールホルダ６０は、図１４、図１５に示す如く、フレーム１５の前方上面で清掃方向に直交する横方向において、押さえロール３０に相並ぶ範囲に渡る、概ね矩形枠状をなす窓枠６１を設け、この窓枠６１の左右両側部内面に回転カバー６２を回転可能に設ける。回転カバー６２は、半円弧状断面又はＵ字状断面等の透明材料からなる略半割筒状体をなし、両側壁を有する。回転カバー６２の左右一方の側壁に固定側ロール支軸６３を設けるとともに、左右他方の側壁にスライド側ロール支軸６４を設け、両ロール支軸６３、６４に粘着ロール７０のコア７２を回転自在に支持する。
【００３４】
粘着ロールホルダ６０にあっては、固定側ロール支軸６３が回転カバー６２の一方の側壁を貫通し、窓枠６１の一方の側壁に挿通した固定ピン６５を固定側ロール支軸６３に螺着し、固定側ロール支軸６３を固定する。回転カバー６２は窓枠６１と固定側ロール支軸６３の間で隙間を有し、固定側ロール支軸６３に対して軽く回転できる。また、スライド側ロール支軸６４は窓枠６１の他方の側壁、回転カバー６２の他方の側壁を貫通し、その貫通端にスペーサ６６、コイルばね６７、スライドプレート６８を挿入後、固定ピン６９をスライド側ロール支軸６４に螺着し、スライド側ロール支軸６４を固定する。
【００３５】
粘着ロールホルダ６０は、押さえロール３０と粘着ロール７０をフレーム１５に支持された状態を維持して両ロール３０、７０の接触状態と非接触状態を切り替える隔離手段を構成する。具体的には、粘着ロールホルダ６０は、回転カバー６２の回転支軸としてのピン６５と支軸６４を、ロール支軸６３、６４と同芯にし、回転カバー６２をそれらの回転支軸まわりで開閉回転できる。
【００３６】
回転カバー６２は、図１０、図１２に示す如く、回転カバー６２の半円弧状断面又はＵ字状断面等の半割断面の前縁フランジ６２Ａを窓枠６１の前部上縁に当接する閉じ位置に位置付けられた状態で、窓枠６１を閉じ、両ロール支軸６３、６４に支持されている粘着ロール７０を覆い、両ロール３０、７０を接触状態にする。他方、図１１、図１３に示す如く、回転カバー６２の前縁フランジ６２Ａを窓枠６１の後部上縁に当接する開き位置に位置付けられた状態で、窓枠６１を開き、回転カバー６２を押さえロール３０と粘着ロール７０の間に介在して粘着ロール７０を外界に臨ませ、両ロール３０、７０を非接触状態にし、両ロール支軸６３、６４に新旧粘着ロール７０のコア７２を着脱し、又は両ロール支軸６３、６４にセットされている粘着ロール７０の使用済粘着シート７１を剥離除去可能にする。即ち、回転カバー６２は閉じ位置から開き位置へ移行するとき、回転カバー６２の前縁フランジ６２Ａと反対側の後縁部を押さえロール３０の上部外周にめり込ませ、これによって弾性たわみ変形せしめられた押さえロール３０の上部外周と粘着ロール７０の間に介在する。即ち、回転カバー６２は、押さえロール３０を変形させることによって両ロール３０、７０の表面の間を離間し、接触状態と非接触状態に切り替える。これにより、回転カバー６２を開き状態にして、両ロール支軸６３、６４にセットされている粘着ロール７０の粘着シート７１の使用済の１周巻き分を剥離除去しようとするとき、粘着シート７１を押さえロール３０の外周に粘着させずにスムースに剥離できる。粘着シート７１が１回使用分ずつ重ねて巻かれている場合には１回使用分を剥離するが、連続する粘着シート７１が巻かれていものは、１回使用分を剥離して切断除去する場合には粘着シート７１の剥離端を回転カバー６２の前縁又は後縁のエッジを用いて切断できる。
【００３７】
粘着ロールホルダ６０は、粘着ロール７０を両ロール支軸６３、６４にセットした状態で、図１４に示す如く、スライドプレート６８をコイルばね６７により固定ピン６９のフランジ側に押付け、スライドプレート６８とこれに相対する窓枠６１の一方の側壁との間隔を小さくし、粘着ロール７０が固定ピン６９から外れる軸方向ずれを防止する。他方、粘着ロール７０を両ロール支軸６３、６４から外すときには、図１５に示す如く、粘着ロール７０をスライドプレート６８の側に押す（Ｐ1）ことで、コイルばね６７を圧縮し、スライドプレート６８を窓枠６１の他方の側壁の側にスライドさせ、スライドプレート６８とこれに相対する窓枠６１の一方の側壁との間隔を大きくし、固定側ロール支軸６３側の粘着ロール７０の一端を持ち上げる（Ｐ2）ことで、粘着ロール７０を外す（粘着ロール７０を両ロール支軸６３、６４に取付ける場合も同じ）。
【００３８】
清掃具１０による清掃動作は以下の如くなされる。
(1)清掃具１０が柄１１に加える押付け操作力により前輪２１と後輪２２を床面１に押付けて前進せしめられると、前輪２１がフレーム１５の長孔１５Ａの後方側に移動して伝動輪４１にしっかり接し、前輪２１の回転力によって直に押さえロール３０を回転させるとともに、前輪２１の回転力を伝動輪４１経由で掻き上げロール４０に伝え、掻き上げロール４０を押さえロール３０と反対方向に回転させる。
【００３９】
このとき、両ロール３０、４０は互いに食い込み、かつ床面１に接地する両ロール３０、４０の外径部分を大きく弾性たわみ変形させ、特に前輪２１の回転軸２１Ａと一緒に後方に移動するスポンジ製押さえロール３０が床面１との接触により後方に引きずられて掻き上げロール４０との隙間を殆どなくす。
【００４０】
これにより、両ロール３０、４０の会合点Ａと床面１との間に側面視三角形状のデッドスペースを概ねなくし、両ロール３０、４０は床面１上で概ね隙間なく会合する。
【００４１】
(2)上述(1)により、押さえロール３０は床面１に対して大きくこすれずに回転しつつ床面１上のゴミを逃げないように押さえ込む。押さえロール３０が押さえた床面１上のゴミは該押さえロール３０と掻き上げロール４０の会合点Ａでそれら両ロール３０、４０の間に挟み取られて床面１からつかみ上げられ、押さえロール３０がゴミの形に倣う表面のクッション性弾性変形によってゴミを食い込ませ、このゴミをそれら両ロール３０、４０の離隔点Ｂで押さえロール３０の弾性復元力により押し出すとともに、掻き上げロール４０の弾性復元力により弾き飛ばされ、ゴミ送り込み口５４経由で塵取部５０のゴミ受け部５１に捕集される。
【００４２】
押さえロール３０の弾性的に復元された表面に付着するゴミは、押さえロール３０の外周に近接している上ゴミ止め部５３の下縁スクレーパにより掻き落とされてゴミ受け部５１に捕集される。
【００４３】
同時に、押さえロール３０の表面に巻き付いた髪の毛等のゴミが、押さえロール３０の上の粘着ロール７０の粘着シート７１に粘着捕捉される。
これにより、小さな紙片やスパゲッティ等の細長いゴミも捕集される。
【００４４】
(3)清掃具１０が後退せしめられるときには、床面１からの押付け操作力が解放されて押さえロール３０と掻き上げロール４０が床面１に対する反発力が前輪２１を床面１から浮かし、また前輪２１がフレーム１５の長孔１５Ａの前方側へ移動して伝動輪４１から離れ、押さえロール３０と掻き上げロール４０が逆回転しない。従って、塵取部５０のゴミ受け部５１に取り込んだゴミを、押さえロール３０と掻き上げロール４０の逆転によりゴミ受け部５１から吐き出すことがない。
【００４５】
(4)塵取部５０のゴミ受け部５１に多量のゴミがたまったことを視認したら、後蓋５５を開いてゴミ受け部５１の後部開口５１Ａからゴミを除去する。
【００４６】
(5)粘着ロール７０の粘着シート７１に多量のゴミが捕捉されたことを視認したら、粘着ロールホルダ６０の回転カバー６２を開き、１周巻き分の粘着シート７１を剥離切断除去し、新規粘着面を露出せしめる。
【００４７】
本実施例によれば以下の作用効果を奏する。
(a)押さえロール３０としてクッションロールを用いており、押さえロール３０のクッション部の厚みを最大径とする大きなゴミも小さなゴミもクッション部の変形によって包み込み、掻き上げロール４０の側に導き、押さえロール３０と掻き上げロール４０によって挟み込むから、清掃面にある大小様々のゴミをもらさず捕集することができる。
【００４８】
(b)押さえロール３０と掻き上げロール４０が互いに食い込んで接触する接触部を形成し、接触部の下端から床までの高さが取り込もうとするゴミの大きさより小さい。従って、取り込もうとするゴミが、押さえロール３０と掻き上げロール４０の接触部に挟み込まれ、床面１上の一定以上の大きさのゴミを捕集することができる。
【００４９】
(c)押さえロール３０に対して掻き上げロール４０の径を小さくすることにより、掻き上げロール４０と押さえロール３０と床面１の間の隙間を小さくし、床面１上のゴミを押さえロール３０と掻き上げロール４０によって挟み込み易くする。
【００５０】
(d)掻き上げロール４０及び／又はクッションロールが弾性たわみ変形によって床面１に食い込むようにしたから、床面１上のゴミを押さえロール３０と掻き上げロール４０によって挟み込み易くする。
【００５１】
(e)押さえロール３０の上方に粘着ロール７０を配置し、清掃時に両ロール３０、７０が接触して一緒に回転するようにしたから、押さえロール３０の回転に粘着ロール７０を連れ回り回転させて駆動できる。粘着ロール７０の駆動ロールを格別に必要としない。塵取部５０等のゴミ回収スペースを大きくとることができる。
【００５２】
(f)押さえロール３０と掻き上げロール４０によって挟み込まれて弾き飛ばされるゴミを、掻き上げロール４０の後部の塵取部５０に回収できる。
【００５３】
尚、本実施例によれば以下の作用効果も奏する。
(a)押さえロール３０と粘着ロール７０をフレーム１５に支持された状態を維持して両ロール３０、７０の接触状態と非接触状態を切り替える粘着ロールホルダ６０（隔離手段）を備える。従って、粘着ロール７０を交換するに際しては、粘着ロールホルダ６０（隔離手段）により粘着ロール７０を押さえロール３０から非接触にし、その後、該粘着ロール７０をロール支軸６３、６４から容易に取外しできる。
【００５４】
(b)清掃具１０に粘着ロール７０を支持したまま、粘着ロール７０の使用済粘着シート７１を剥離除去するに際しては、粘着ロールホルダ６０（隔離手段）により粘着ロール７０を押さえロール３０から非接触にし、その後、粘着ロール７０のシート端を引張れば、粘着ロール７０はロール支軸６３、６４に対して回転し、１周巻き分の使用済粘着シート７１を剥離除去できる。このとき、粘着ロール７０は、押さえロール３０から隔離されており、スムースに回転できるから、使用済粘着シート７１の剥離除去性は良い。
【００５５】
(c)粘着ロールホルダ６０（隔離手段）は、押さえロール３０を変形させて押さえロール３０の表面と粘着ロール７０の表面を離間させるから、接触状態から非接触状態に容易に切り替えできる。
【００５６】
(d)押さえロール３０と掻き上げロール４０が互いに食い込み、かつ床面１に対して大きくたわみ変形するから、両ロール３０、４０の会合点Ａと床面１との間に側面視三角形状のデッドスペースを概ねなくし、両ロール３０、４０を床面１上で概ね隙間なく会合させ得るものとなる。このため、押さえロール３０が押さえた床面１上のゴミの概ねを掻き上げロール４０との会合点Ａに移送し、その会合点Ａで両ロール３０、４０の間に挟み取り、それら両ロール３０、４０の離隔点Ｂで押さえロール３０が押し出すゴミを掻き上げロール４０にて弾き飛ばして捕集できる。
【００５７】
(e)押さえロール３０の下をすり抜ける薄い紙シート等のゴミは、反対回転中の掻き上げロール４０により押し戻されると、この押し戻された部分を両ロール３０、４０の会合点Ａで直ちに両ロール３０、４０の間に摘みとり、それら両ロール３０、４０の離隔点Ｂで押さえロール３０に押し出され、掻き上げロール４０にて弾き飛ばされて捕集される。
【００５８】
(f)筒状スポンジからなる押さえロール３０が、床面１の凹凸の全面に隙間なく倣うようにやわらかく変形して該凹凸をなす床面１内のゴミを押さえ、又は床面１上の大きなゴミに対してはやわらかくへこんでこれを包むようにして該大きなゴミを押さえ、それらのゴミを掻き上げロール４０との会合点Ａの側に確実に移送できる。
【００５９】
(g)筒状スポンジからなる押さえロール３０は、髪の毛等のゴミが表面にからみつき、これに接する粘着ロール７０に粘着させて回収できる。押さえロール３０がブラシからなるときには、髪の毛等がブラシの芯にからみついて除去困難になる。
【００６０】
(h)筒状スポンジからなる押さえロール３０は、粘着ロール７０を支えてこれを確実に連れ回りさせることができる。押さえロール３０がブラシからなるときには、粘着ロール７０の重量によりブラシが座屈し、粘着ロール７０を連れ回りさせることができない。
【００６１】
尚、清掃具１０にあっては、塵取部５０のゴミ受け部５１が掻き上げロール４０の外周に沿って高く立ち上がる下ゴミ止め部５２と、押さえロール３０の外周に近接して粘着ロール７０の側を完全に遮断する上ゴミ止め部５３を備え、ゴミ送り込み口５４から後蓋５５の側に渡るゴミ受け空間の全域を閉塞状にするから、押さえロール３０及び掻き上げロール４０が弾き飛ばすゴミの捕集性が良い。
【００６２】
また、清掃具１０にあっては、前輪２１の回転軸２１Ａに押さえロール３０を直に結合するものに限らず、前輪２１と押さえロール３０の間に増速ギアを介するものでも良い。また、押さえロール３０は前輪２１の回転力を駆動源とするものに限らず、他の駆動源により回転せしめられるものでも良い。
【図面の簡単な説明】
【００６３】
【図１】図１は清掃具を示す断面図である。
【図２】図２は清掃具の前進状態を示す側面図である。
【図３】図３は清掃具の後退状態を示す側面図である。
【図４】図４は清掃具を示す正面図である。
【図５】図５は図４のV−V線に沿う断面図である。
【図６】図６は塵取部の後蓋閉じ状態を示す斜視図である。
【図７】図７は塵取部の後蓋開き状態を示す斜視図である。
【図８】図８は塵取部の後蓋係止解除状態を示す断面図である。
【図９】図９は塵取部の後蓋開き状態を示す断面図である。
【図１０】図１０は粘着ロールホルダのカバー閉じ状態を示す斜視図である。
【図１１】図１１は粘着ロールホルダのカバー開き状態を示す斜視図である。
【図１２】図１２は粘着ロールホルダのカバー閉じ状態を示す断面図である。
【図１３】図１３は粘着ロールホルダのカバー開き状態を示す断面図である。
【図１４】図１４は粘着ロールのセット状態を示す断面図である。
【図１５】図１５は粘着ロールの着脱状態を示す断面図である。
【符号の説明】
【００６４】
１０  清掃具
３０  押さえロール（クッションロール）
４０  掻き上げロール
５０  塵取部（ゴミ捕集部）
７０  粘着ロール
【図１】
2006346293.tif 000003
【図２】
2006346293.tif 000004
【図３】
2006346293.tif 000005
【図４】
2006346293.tif 000006
【図５】
2006346293.tif 000007
【図６】
2006346293.tif 000008
【図７】
2006346293.tif 000009
【図８】
2006346293.tif 000010
【図９】
2006346293.tif 000011
【図１０】
2006346293.tif 000012
【図１１】
2006346293.tif 000013
【図１２】
2006346293.tif 000014
【図１３】
2006346293.tif 000015
【図１４】
2006346293.tif 000016
【図１５】
2006346293.tif 000017
【手続補正書】
【提出日】平成17年7月25日(2005.7.25)
【手続補正１】
【補正対象書類名】図面
【補正対象項目名】図１
【補正方法】変更
【補正の内容】
【図１】
2006346293.tif 000018
【手続補正２】
【補正対象書類名】図面
【補正対象項目名】図１１
【補正方法】変更
【補正の内容】
【図１１】
2006346293.tif 000019
【手続補正３】
【補正対象書類名】図面
【補正対象項目名】図１４
【補正方法】変更
【補正の内容】
【図１４】
2006346293.tif 000020
【手続補正４】
【補正対象書類名】図面
【補正対象項目名】図１５
【補正方法】変更
【補正の内容】
【図１５】
2006346293.tif 000021